(57)【特許請求の範囲】
【請求項１】
圧縮機、切替弁、室外側熱交換器、第一の絞り装置、室内側熱交換器を接続してなるメイン冷媒回路と、上記圧縮機吐出配管より分岐し、組成検知用熱交換器、第二の絞り装置を介し、低圧部に至るバイパス回路と、室外側熱交換器と付帯する室外ファンと、上記組成検知用熱交換器と上記第二の絞り装置の間で、かつ、第二の絞り装置上流にてバイパス配管温度を検出する第一の温度検出手段と、上記組成検知用熱交換器と上記第二の絞り装置の間で、かつ、第二の絞り装置下流にてバイパス配管温度および圧力を検出する第二の温度検出手段および第一の圧力検出手段と、第一の絞り装置と室内側熱交換器の間のメイン回路にて温度を検出する第三の温度検出手段と、低圧ガス部にて温度を検出する第四の温度検出手段と、高圧部の圧力を検出する第二の圧力検出手段と、上記第一の温度検出手段、第二の温度検出手段及び第一の圧力検出手段から検出された冷媒の温度と圧力により混合冷媒の各成分の組成を演算する組成演算器と、上記組成演算器で演算された冷媒の組成及び上記第一の圧力検出手段と第二の圧力検出手段から検出された冷媒の圧力により、圧縮機の回転数または室外ファンの回転数を制御するメイン制御器と、第一の絞り装置の開度を制御する絞り制御器と、タイマを内蔵し、かつ、組成演算器、メイン制御器および絞り制御器の制御タイミングを制御するトータル制御器と、を備えたことを特徴とする冷媒循環システム。
【請求項２】
組成演算器は、冷媒循環の運転状態を示す物理量を検出し、この検出値の時間変化が所定値以上の場合、組成演算を行う時間間隔を変更可能に設けられたことを特徴とする請求項１記載の冷媒循環システム。
【請求項３】
トータル制御器は組成演算器の組成演算の時間間隔を基に制御タイミングを制御されることを特徴とする請求項１または２記載の冷媒循環システム。
【請求項４】
室内側に配置された熱交換器を複数設け、この複数の一部を運転し、残りを停止させる制御を行うことを特徴とする請求項１記載の冷媒循環システム。
【請求項５】
第二の絞り装置及び第二の絞り装置と組成検知用熱交換器の間の配管を断熱することを特徴とする請求項１記載の冷媒循環システム。
【請求項６】
組成演算器にて演算した循環組成を、外気の温度により補正することを特徴とする請求項１記載の冷媒循環システム。
【請求項７】
暖房運転時において、停止している室内機の第一の絞り装置は、所定の開度に開けるように制御することを特徴とする請求項１または３または４記載の冷媒循環システム。
【請求項８】
暖房運転時において、停止している室内機の第一の絞り装置は、閉じる制御を行うことを特徴とする請求項１または３または４記載の冷媒循環システム。
【請求項９】
冷媒循環システムの低圧部に液溜部を設け、この液溜部の液面高さに基づき停止している室内機の第一の絞り装置の開度を制御することを特徴とする請求項１または３または４記載の冷媒循環システム。
【請求項１０】
停止している複数の室内機に滞留している冷媒をメイン回路に戻す場合には、異なるタイミングで各停止室内機の第一の絞り装置を開くように制御することを特徴とする請求項４または８記載の冷媒循環システム。
【請求項１１】
上記組成演算器が演算した組成が予め設定する組成の範囲に入っているかを比較し、検知した組成が適性範囲に入っていない場合には、ユニットを停止させる安全装置、または異常組成を検知したときの組成の表示を行う表示装置の少なくともいずれか一方を備えたことを特徴とする請求項１または５または６記載の冷媒循環システム。
【請求項１２】
第二の圧力検出手段を、組成検知用熱交換器の低圧側と、切替弁と圧縮機吸入部を接続する配管との、接続部の切替弁と圧縮機吸入部を接続する配管に設置したことを特徴とする請求項１記載の冷媒循環システム。
【請求項１３】
第二の温度検出手段を、第二の絞り装置から少なくとも二相冷媒の流れが発達する配管長さを離して設置することを特徴とする請求項１記載の冷媒循環システム。
【請求項１４】
組成検知用熱交換器の低圧側の圧力損失を低圧圧力センサの圧力が圧縮機吸入部の圧力にほぼ一致させる値にしたことを特徴とする請求項１記載の冷媒循環システム。
【請求項１５】
組成検知用熱交換器の低圧側圧力損失演算器を設けたことを特徴とする請求項１記載の冷媒循環システム。
【請求項１６】
循環組成があらかじめ判っている運転状態を作る、組成調整運転制御器と、そのときの組成演算値とあらかじめ判っている循環組成の差を演算する組成補正値演算器を備え、組成演算器にて演算した組成を、組成調整運転時に求めた組成補正値をもとに、補正することを特徴とする請求項１記載の冷媒循環システム。
【発明の詳細な説明】
【０００１】
【発明の属する技術分野】
本発明は、冷媒にハイドロフルオロカーボンを主成分とする非共沸混合冷媒を用いるような混合冷媒を用いた冷凍・空調システム等に使用される冷媒循環システムに関する。
【０００２】
【従来の技術】
図２９は、例えば特公平６−１２２０１号に示された従来の非共沸混合冷媒を用いた冷凍・空調装置であり、図中１は圧縮機、５は室内側熱交換器、４ａ，４ｂは主絞り装置、３は室外側熱交換器で、これらを冷媒配管にて接続して、冷凍サイクルの主回路を形成している。２９は精留塔で、その塔頂部には冷媒配管５０と、冷却源３０が配設された冷媒配管５１とにより塔頂貯留器３１を接続する。また、前記精留塔２９底部には冷媒配管５２と、加熱源３２が配設された冷媒配管５３とにより塔底貯留器３３を接続する。
【０００３】
主絞り装置４ａ及び４ｂの間から分岐した配管は、冷媒配管５４と５５に別れ、冷媒配管５４は開閉弁３４を介して塔頂貯留器３１に、冷媒配管５５は開閉弁３６を介して塔底貯留器３３に接続されている。室外側熱交換器３の上流側には、副絞り装置３７と開閉弁３８が設置された冷媒配管５６により塔頂貯留器３１が接続され、また、副絞り装置３７と開閉弁３９が設置された冷媒配管５７により塔底貯留器３３が接続されている。そして、塔頂貯留器３１から冷媒配管５６への流出口は塔頂貯留器３１の底部に、また、塔底貯留器３３から冷媒配管５７への流出口は塔底貯留器３３の底部にそれぞれ設置されている。
【０００４】
上記構成において、圧縮機１で圧縮された高温高圧の非共沸混合冷媒（以下、冷媒と言う）の蒸気は矢印Ａの方向に流れ、室内側熱交換器５で凝縮して主絞り装置４ａに入る。通常運転時には開閉弁３４，３６は閉じられているのでそのまま主絞り装置４ｂに入り、低温低圧になった冷媒は、室外側熱交換器３で蒸発して再び圧縮機１に戻る。
【０００５】
この主回路を流れる冷媒組成を変える場合において、まず、主回路を流れる冷媒の組成を非常に高沸点成分に富んだものにするには、開閉弁３８，３４を閉じ、開閉弁３９，３６を開く。そうすると、主絞り装置４ａを出た主回路を流れる冷媒の一部は、開いている開閉弁３６へ分流し、残りは主絞り装置４ｂに流入して通常の運転と同様の回路で流れる。開閉弁３６へ流入した冷媒は、塔底貯留器３３に入る。塔底貯留器３３に入った冷媒は、一部は開いている開閉弁３９を通って副絞り装置３７に入り、室外側熱交換器３の上流側で主回路を流れる冷媒と合流し、残りは加熱源３２が設置された冷媒配管５３に入り、加熱されて冷媒精留塔２９内を蒸気となって上昇する。このとき、塔頂貯留器３１に貯留されている冷媒液も冷媒配管５０から冷媒精留塔２９内を下降し、上昇してくる冷媒蒸気と気液接触して、いわゆる精留作用を行う。
【０００６】
こうして、冷媒蒸気は上昇するにつれて低沸点成分に富んだものとなり、冷却源３０が設置された冷媒配管５１に導入されて液化し、開閉弁３８が閉じられていることにより塔頂貯留器３１に貯留される。この様な精留作用が繰り返され、ついには、塔頂貯留器３１には非常に低沸点成分に富んだ冷媒だけが貯留されることになる。したがって、主回路を流れる冷媒の組成は、非常に高沸点成分に富んだものとなる。
【０００７】
主回路を流れる冷媒の組成を、低沸点成分に富んだものにするには、開閉弁３８，３４を開き、開閉弁３９，３６を閉じる。そうすると、主絞り装置４ａを出た主回路を流れる冷媒の一部は分流して、開いている開閉弁３４を通り、塔頂貯留器３１に流入するが、開閉弁３８も開いているため、流入してきた冷媒の一部は冷媒配管５６を通り、副絞り装置３７を通って主回路に合流する。そして、残りの冷媒は、冷媒配管５０から冷媒精留塔２９内に入り下降する。このとき、塔底貯留器３３内の冷媒の一部が加熱源３２で加熱されて冷媒精留塔内を上昇し、下降する液と気液接触して、いわゆる精留作用を行う。このようにして、下降する冷媒液は徐々に高沸点成分に富んだものになり、開閉弁３９が閉じられているため塔底貯留器３３に貯留される。そして、このような精留作用が繰り返され、ついには、塔底貯留器３３には、非常に高沸点成分に富んだ冷媒だけが貯留されることになる。したがって、主回路を流れる冷媒の組成は、非常に低沸点成分に富んだものとなる。
なお、冷凍サイクルの非共沸混合冷媒の組成を直接冷媒から成分を検出する手段を述べた例として特開平６−１０１９１２号公報のようなものが知られている。
【０００８】
【発明が解決しようとする課題】
このような従来の冷凍・空調装置では、組成を検出する手段がないので、循環組成が変化した場合には、圧力の検出値から飽和温度を演算することができない。従って、例えば複数の室内機を循環する冷媒の流量を制御するマルチ型冷凍・空調システムでは熱交換器出口における冷媒の過冷却度または過熱度にて絞り装置の開度を決定しているため、凝縮温度及び蒸発温度を適性に判断できず、その結果、各室内機に冷媒の適性に分配することが困難となる。また、凝縮温度及び蒸発温度が一定になるように圧縮機の回転数及び室外ファンの回転数を制御するシステムにおいては、必ずしも圧縮機及び室外ファンの回転数が適性にならず、効率の良い運転を行うことができなかった。
また更に冷媒の組成を直接計測して制御しようとするものは、冷媒の各種状態に対応せざるを得ないため計測装置が構造が複雑となり、また精度上にも問題があり実用には多くの課題が残されている。
本発明は、冷媒回路内を循環する冷媒の組成を推定し、冷媒の組成に応じた制御を行うものである。
本発明は、また運転状態に応じた制御を可能にするものである。
本発明は、複数の室内機を有するシステムの課題を解決するもので、常に冷媒の組成を維持し信頼性の高いシステムを提案するものである。
本発明は、また信頼性が高く、安価で実用的なシステムを提案するものである。
【０００９】
【課題を解決するための手段】
請求項１に係る本発明の冷媒循環システムは、圧縮機、切替弁、室外側熱交換器、第一の絞り装置、室内側熱交換器を接続してなるメイン冷媒回路と、上記圧縮機吐出配管より分岐し、組成検知用熱交換器、第二の絞り装置を介し、低圧部に至るバイパス回路と、室外側熱交換器と付帯する室外ファンと、上記組成検知用熱交換器と上記第二の絞り装置の間で、かつ、第二の絞り装置上流にてバイパス配管温度を検出する第一の温度検出手段と、上記組成検知用熱交換器と上記第二の絞り装置の間で、かつ、第二の絞り装置下流にてバイパス配管温度および圧力を検出する第二の温度検出手段および第一の圧力検出手段と、第一の絞り装置と室内側熱交換器の間のメイン回路にて温度を検出する第三の温度検出手段と、低圧ガス部にて温度を検出する第四の温度検出手段と、高圧部の圧力を検出する第二の圧力検出手段と、上記第一の温度検出手段、第二の温度検出手段及び第一の圧力検出手段から検出された冷媒の温度と圧力により混合冷媒の各成分の組成を演算する組成演算器と、上記組成演算器で演算された冷媒の組成及び上記第一の圧力検出手段と第二の圧力検出手段から検出された冷媒の圧力により、圧縮機の回転数または室外ファンの回転数を制御するメイン制御器と、第一の絞り装置の開度を制御する絞り制御器と、タイマを内蔵し、かつ、組成演算器、メイン制御器および絞り制御器の制御タイミングを制御するトータル制御器と、を備えた構成とする。
【００１０】
請求項２に係る本発明の冷媒循環システムは、冷媒循環の運転状態を示す物理量を検出し、この検出値の時間変化が所定値以上の場合には、演算タイミングの時間間隔を変更する制御を行う。
【００１１】
請求項３に係る本発明の冷媒循環システムのトータル制御器は組成演算器の組成演算の時間間隔を基に制御タイミングを制御される。
【００１２】
請求項４に係る本発明の冷媒循環システムは、室内側に配置された熱交換器を複数設け、この複数の一部を運転し、残りを停止させる制御を行う。
【００１３】
請求項５に係る本発明の冷媒循環システムは、第二の絞り装置および第二の絞り装置と上記組成検知用熱交換器の間の冷媒配管を断熱する構成とする。
【００１４】
請求項６に係る本発明の冷媒循環システムは、組成演算器にて演算した循環組成を、外気の温度により補正する。
【００１５】
請求項７に係る本発明の冷媒循環システムは、上記冷凍サイクルにおいて、暖房運転時において、停止している室内機の第一の絞り装置は、所定の開度に開ける制御を行う。
【００１６】
請求項８に係る本発明の冷媒循環システムは、暖房運転時、停止している室内機の第一の絞り装置は、閉じる制御を行う。
【００１７】
請求項９に係る本発明の冷媒循環システムは、冷媒循環システムの低圧部に液溜部を設け、この液溜部の液面高さに基づき停止している室内機の第一の絞り装置の開度を制御する。
【００１８】
請求項１０に係る本発明の冷媒循環システムは、停止している複数の室内機に滞留している冷媒をメイン回路に戻す場合には、異なるタイミングで各停止室内機の第一の絞り装置を開くように制御する。
【００１９】
請求項１１に係る本発明の冷媒循環システムは、組成演算器が演算した組成が予め設定する組成の範囲に入っているかを比較し、検知した組成が適性範囲に入っていない場合には、ユニットを停止させる安全装置、または異常組成を検知したときの組成の表示を行う表示装置のいずれか一方を備えた構成とする。
【００２０】
請求項１２に係る本発明の冷媒循環システムは、第二の圧力検出手段を、組成検知用熱交換器の低圧側とメイン流れの配管の接続部のメイン流れの配管に設置したものである。
【００２１】
請求項１３に係る本発明の冷媒循環システムは、第二の温度検出手段を、第二の絞り装置から少なくとも二相冷媒の流れが発達する配管長さを離して設置したものである。
【００２２】
請求項１４に係る本発明の冷媒循環システムは、組成検知用熱交換器の低圧側の圧力損失を低圧圧力センサの圧力が圧縮機吸入部の圧力にほぼ一致させる値にしたものである。
【００２３】
請求項１５に係る本発明の冷媒循環システムは、組成検知用熱交換器の低圧側圧力損失演算器を設けたものである。
【００２４】
請求項１６に係る本発明の冷媒循環システムは、循環組成があらかじめ判っている運転状態を作る、組成調整運転制御器と、そのときの組成演算値とあらかじめ判っている循環組成の差を演算する組成補正値演算器を備え、組成演算器にて演算した組成を、組成調整運転時に求めた組成補正値をもとに、補正する。
【００２５】
【発明の実施の形態】
発明の実施の形態１．
以下、本発明の実施の形態１を図１及び図２について説明する。図１は本実施の形態における冷凍サイクルのシステム図であり、図２は、その制御部を詳細に示したものである。本実施の形態では、室内機はａ，ｂ，ｃの三系統を有するマルチ型空調機の例を示す。図１において、１は圧縮機、２は切替弁である四方弁、３は室外側熱交換器、４は第一の絞り装置、５は室内側熱交換器、６はアキュムレータ（低圧レシーバ）であり、これらを冷媒配管にて接続してメイン回路をなす。ここで、第一の絞り装置４と室内側熱交換器５は、各々３個ずつ設定されており、各々は４ａ，４ｂ，４ｃ及び５ａ，５ｂ，５ｃの記号を付している。８は第二の絞り装置、９は組成検知用熱交換器であり、これらは、冷媒配管にて接続され、一端を圧縮機の吐出配管と、他端を低圧部の四方弁２とアキュムレータ６の間の冷媒配管と接続し、バイパス回路１５を形成する。圧縮機１及び室外ファン７は回転数可変のものである。なお、ここでは、上記バイパス回路を四方弁２とアキュムレータ６の間の低圧部と接続する例を示したが、低圧部であればどこでも良い。
【００２６】
ただし、組成検知用熱交換器９の低圧側出口を圧縮機１の吸入配管に接続した場合、圧縮機１の振動により接続部が破損しやすくなる。また組成検知用熱交換器９の低圧側出口から流れ出る冷媒の過熱度は大きいので、その冷媒を圧縮機１が直接吸入した場合、吐出温度が高くなるなど、性能に悪影響を与える。このため信頼性や性能確保のために、組成検知用熱交換器９の低圧側出口を、四方弁２とアキュムレータ６の間に接続するのが良い。すなわち高圧部と、アキュムレータと切替弁の間の低圧部との間に、組成検知用熱交換器、第二の絞り装置を有するバイパス回路を設け、演算された冷媒の組成及び検出された冷媒の圧力により少なくとも圧縮機の回転数または凝縮器もしくは蒸発器に設けられたファンの回転数を制御する。
なお、圧縮機１、四方弁２、室外側熱交換器３、アキュムレータ６、第二の絞り装置８、組成検知用熱交換器９、バイパス回路１５は一括して室外機に収納することにより簡単な構造にまとめることができる。
【００２７】
１０１は圧縮機１の吐出圧力を検知する第二の圧力検出手段、１０２は第二の絞り装置８の下流において圧力を検出する第一の圧力検出手段である。１０３および１０４は各々、第二の絞り装置８の上流及び下流において温度を検出する第一及び第二の温度検出手段である。
第二の温度検出手段１０４の位置は、第二の絞り装置８から少なくとも５０ｍｍ以上離す必要がある。これは第二の絞り装置８の出口直後では二相冷媒の流れが発達していないため、精度が良い温度検出ができないからである。なお５０ｍｍは第二の絞り装置８がφ２．４×ｔ０．８であり、バイパス配管がφ６．３５×０．８ｔの場合であり、この数値は配管サイズ、形状によって異なってくる。  絞り装置で流れが変化した直後は、流れが発達するのにある程度の助走距離が必要である。
流れが発達すると、冷媒の熱伝達率が大きいので、冷媒の温度と配管温度がほぼ等しくなり、温度測定誤差が小さくなる。
一方、流れが変化した後、流れが未発達であると、この逆で温度測定誤差が大きくなる。又この未発達領域では圧力の脈動も発生することがあるので、低圧圧力センサも充分に流れの変化ヶ所から遠ざける必要がある。
【００２８】
１０５は、第一の絞り装置４と室内側熱交換器５の間にて温度を検出する第三の温度検出手段であり、１０６は、室内側熱交換器５において、冷房運転時、出口となる配管の温度を検出する第四の温度検出手段である。２１は第一の温度検出手段１０３、第二の温度検出手段１０４及び第一の圧力検出手段１０２から検出される検出値から、冷媒回路内を循環する冷媒の組成を演算する組成演算器である。２２は上記組成演算器の演算結果と、第一の圧力検出手段１０２と第二の圧力検出手段１０１の検出値から、圧縮機１及び室外ファン７の回転数を決定し制御を行うメイン制御器である。２３は第一の絞り装置４の開度を決定し制御を行う絞り制御手段である。２４はタイマを内蔵し、かつ、組成演算器２１、メイン制御器２２及び絞り制御器２３の制御タイミングを制御するトータル制御器である。
温度検出手段は冷媒の温度がわかれば良く、配管の温度を計測してもよい。
【００２９】
動作について説明する。冷房運転時、冷媒は、圧縮機１より吐出され、四方弁２を介して、室外側熱交換器３に至り、周囲に放熱し、自身は凝縮液化する。液化した高圧の液冷媒は、第一の絞り装置４にて絞られ低温・低圧の気液二相状態となり、室内側熱交換器５に流入する。室内側熱交換器５に流入した低温・低圧の二相冷媒は、周囲より熱を奪い冷房すると共に、自身は蒸発気化し、四方弁２およびアキュムレータ６を介して圧縮機１に戻る。
【００３０】
暖房運転時の冷媒の流れについて説明する。冷媒は、圧縮機１より吐出され、四方弁２を介して、室内側熱交換器５に至り、周囲に放熱し暖房を行うと共に、自身は凝縮液化する。液化した高圧の液冷媒は、第一の絞り装置４にて絞られ低温・低圧の気液二相状態となり、室外側熱交換器３に流入する。室外側熱交換器３に流入した低温・低圧の二相冷媒は、周囲より熱を奪い蒸発気化し、四方弁２およびアキュムレータ６を介して圧縮機１に戻る。
【００３１】
次に、トータル制御器２４の動作について説明する。図３は、トータル制御器２４の制御内容を示すフローチャートである。ステップ１（以下ｓｔ１と記す）では、タイマを起動し、圧縮機起動からの積算時間ｔｓｕｍ＝０とする。ｓｔ２では、循環組成を演算するように、組成演算器２１に指令を出す。組成演算器２１にて組成が演算されるとｓｔ３に移り、メイン制御器２２にて圧縮機１の回転数及び室外ファン７の回転数を制御するように指令を出す。ｓｔ４では、ユニット停止条件を満たした場合には、ユニットを停止し、ユニット停止条件を満たさない場合には、ｓｔ５に移る。ｓｔ５では、積算時間ｔｓｕｍと予め設定しておいた組成演算タイミングｔｏとの比較を行う。ｔｓｕｍ＜ｔｏの場合には、組成演算は行わず、メイン制御のみを行い、ｔｓｕｍ≧ｔｏの場合には、ｔｓｕｍ＝０にリセットして、組成演算を行う。
【００３２】
組成演算器２１の動作について説明する。図４は、組成演算の流れを示すフローチャートである。組成演算では、ｓｔ１で混合冷媒の各成分について、その組成ｘｉを仮定する。ｓｔ２では、第一の温度検出手段１０３、第二の温度検出手段１０４及び第一の圧力検出手段１０２から各々の検出値Ｔ１，Ｔ２，Ｐ２を検出する。ｓｔ３では、第一ステップにて仮定した循環組成ｘｉと上記温度の検出値Ｔ１から、高圧の液エンタルピＨ１を演算する。ｓｔ４では、循環組成ｘｉと上記温度・圧力の検出値Ｔ２及びＰ２から、低圧の二相エンタルピＨ２を演算する。ｓｔ５では、上記Ｈ１とＨ２の比較を行い、等しくなるまで循環組成の仮定を繰り返す。この結果、上記Ｈ１とＨ２が等しくなった時点でのｘｉの値を循環組成とする。ここで、添字ｉは、ｉ種の成分が混合された場合冷媒であることを示している。
なお、低圧圧力センサである第一の圧力検出手段は組成検知用熱交換器９と第二の絞り装置８の間で設けたが、これはこの位置が最も精度が良いからであり、低圧部であれば他の位置でも良いことは当然である。
ただし、低圧圧力センサの圧力が圧縮機１の吸入部の圧力とほぼ一致しなければ、圧縮機周波数の効果的な制御ができない。このため組成検知用熱交換器９の低圧側の圧力損失を例えば０．２ｋｇｆ／ｃｍ2 以下に小さくする必要がある。この圧力センサの設けられる低圧側とは、第２の絞り装置８の出口からバイパス回路と合流する低圧側配管までを指している。
ユニットの冷房能力は圧縮機の吸収圧力、すなわちアキュムレータ６入口圧力で決まるため、その圧力が目標値になるように圧縮機周波数を制御すると、冷房能力を充分に確保できる。
上述の如く低圧圧力センサの圧力が、圧縮機の吸入圧力とほぼ一致させると低圧圧力センサの値、すなわち第２の絞り装置８の出口圧力でユニットを制御して冷房能力を確保できる。
【００３３】
メイン制御器２２の作用について説明する。図５は、メイン制御器２２の制御の流れを示すフローチャートである。ｓｔ１では、第二の圧力手段１０１で検出された高圧圧力Ｐ１と低圧圧力Ｐ２を検知する。ｓｔ２では、上記高圧圧力Ｐ１と組成演算器２１にて演算された循環組成から凝縮温度Ｔｃを演算し、かつ、上記低圧圧力Ｐ２と組成演算器２１にて演算された循環組成から蒸発温度Ｔｅを演算する。ｓｔ３では、予め設定しておいた目標凝縮温度Ｔｃｍと上記凝縮温度Ｔｃとの差ΔＴｃ及び予め設定しておいた目標蒸発温度Ｔｅｍと上記蒸発温度Ｔｅとの差ΔＴｅを演算する。ｓｔ４では、ΔＴｃおよびΔＴｅの大きさに応じて、圧縮機の回転数の変更幅Δｆｃｏｍｐや室外ファンの回転数の変更幅ΔｆＦＡＮを決定し、各々回転数の変更を行う。
【００３４】
絞り制御器２３の作用について説明する。図６は、絞り制御器２３の制御のフローチャートを示す。ｓｔ１として、冷房運転か暖房運転かの判断をする。冷房運転の場合には、ｓｔ２に移り、第三の温度検出手段１０５及び第四の温度検出手段１０６から、各々の温度Ｔ３及びＴ４を検出する。ｓｔ３では、Ｔ４とＴ３の差ＳＨを計算する。ｓｔ４では、予め設定しておいた目標値ＳＨｍと上記ＳＨの差ΔＳＨを計算する。ｓｔ５では、上記ΔＳＨの大きさに応じて、絞り装置の開度の変更幅ΔＳを演算し、絞り装置の開度変更を実行する。ｓｔ６では、停止条件を満たす場合には、室内機を停止の状態にし、停止条件を満たさない場合には、上記のｓｔ１に戻る。
【００３５】
暖房運転の場合には、ｓｔ７へ移り、第三の温度検出手段１０５から温度Ｔ３を検出し、かつ、メイン制御器から凝縮温度Ｔｃを受信する。ｓｔ８として、ＴｃとＴ３の差ＳＣを計算する。ｓｔ９では、予め設定しておいた目標値ＳＣｍと上記ＳＣの差ΔＳＣを計算する。ｓｔ１０では、上記ΔＳＣの大きさに応じて、絞り装置の開度の変更幅ΔＳを演算し、絞り装置の開度変更を実行する。ｓｔ１１では、停止条件を満たす場合には、室内機を停止の状態にし、停止条件を満たさない場合には、上記のｓｔ１に戻る。
組成演算器にて演算された組成と、高圧部圧力Ｐ１と低圧部圧力Ｐ２から凝縮温度および蒸発温度を演算する。さらに、予め設定しておいた目標凝縮温度と該凝縮温度の差および目標蒸発温度と該蒸発温度との差に応じて、圧縮機の回転数および室外ファンの回転数を決定する。
【００３６】
すなわち上述の説明では、絞り装置制御部では、冷房運転時において、室内熱交換器の出入り口温度を検出する。さらに、該熱交換器出入り口温度の差が一定になるように、第一の絞り装置の開度を決定する。また、暖房運転時においては、上記メイン制御器にて演算された凝縮温度を取り込むと共に、室内側熱交換器と絞り装置の間の冷媒配管温度を検出する。さらに、該凝縮温度と該冷媒配管温度との温度差が一定となるように、第一の絞り装置の開度を決定する。
【００３７】
トータル制御部では、組成演算、メイン制御および絞り制御のタイミングを計る。このため、マルチ式冷凍・空調システムにおいて、循環組成が変化した場合でも、組成に応じた制御を行い、効率の良い運転を実現する。
【００３８】
上記の作用により、圧力の検出値から凝縮温度及び蒸発温度を演算し、その凝縮温度及び蒸発温度により、第一の絞り装置４の開度、圧縮機１の回転数や室外ファン７の回転数を制御するマルチ型冷凍・空調システムにおいて、運転条件の変化により、冷媒回路内を循環する冷媒の組成が変化しても、圧縮機１の回転数、室外ファン７の回転数及び第一の絞り装置４の開度を適性に保つことができる。従って、熱交換器における蒸発温度及び凝縮温度を適性に保ち、かつ、各室内機に適性に冷媒を分配することができ、これによって蒸発温度、凝縮温度、蒸発器出口過熱度、凝縮器出口過冷却度を設計目標値に保つことができ、効率のよい運転を確保することができる。
【００３９】
図１の構成において組成検知用熱交換器９は一方を圧縮機１の吐出側で四方弁までの間の配管に接続し、他方を同様に圧縮機の戻り側で四方弁までの間の配管に接続している。
これは冷房と暖房のように四方弁によって回路を切り替えた場合であっても常に高圧側と低圧側を接続した構成になるので組成検知用熱交換器はいつも同一回路のままで組成を検知することができる。
組成演算器２１は室内器などに含めてもよいが、冷房、暖房で同一回路で計算できることを考えると、同様に室外機に設けることが便利である。
更に圧縮機と四方弁の間でまとめて構成することができ、空気調和機の室外機の箱の中に入れてバイパス回路の配管を短くし、この結果外部からの熱の影響を受けにくく検知精度を良好に保つ構成が簡単に得られる。
【００４０】
バイパス管に使用する絞り装置８は開閉弁でもキャピラリチューブでも良いが、冷媒が詰らない程度に細い方が冷媒バイパスによる能力低下が小さくなるので望ましい。この組成検知用熱交換器の構成を図２１に示す。図２１の接触式構造は配管を互いに接触させて熱交換を行うものであり、又二重管式構造は二重管を使用して内管と外管の間で熱交換を行う構成である。
この場合組成検知回路では高圧側を外管とする二重管にすると、周囲への放熱に都合が良く、冷媒の凝縮を助けることになり効果的である。
第二の絞り装置８はキャピラリチューブを使用すると安価になる。電子膨張弁を用いても良い。上記の説明では室内側熱交換器５を複数設けたがこれは単数でも良い。もし複数台の室内機が設けられいくらかの台数が運転中で残りの室内機が停止している場合、停止機へ冷媒が溜っていき、冷媒の寝込みが発生する。
このような場合冷凍サイクル中の冷媒の組成が変化する。
【００４１】
本発明において、メイン制御器２２は圧縮機やファンや電子式膨張弁などの開閉弁を制御して冷凍サイクルを与えられた状態に制御したり運転を維持することになる。
なお、圧縮機のみを制御するケースとしては、高圧が上がり過ぎていたり、低圧が下がり過ぎていることを判断し圧縮機の周波数を落とすという保護の観点からの制御を行うことになる。また更に冷房時の高圧制御や暖房時の低圧制御では、室外空気温度と組成からファンのみの制御としてファンの回転数を決定し運転を行うことになる。
【００４２】
発明の実施の形態２．
以下、本発明の実施の形態２を図について説明する。
本実施の形態において、冷媒回路、メイン制御器２２、組成演算器２１及び絞り制御器２３の構成及び作用については、実施の形態１と同様であるため、説明を省略する。
図７は本実施の形態のトータル制御器２４の作用を示すフローチャートである。ｓｔ１では、タイマを起動し、積算時間ｔｓｕｍ＝０とする。ｓｔ２では、循環組成を演算するように、組成演算器２１に指令を出す。組成演算器２１にて組成が演算されると、ｓｔ３に移り、メイン制御器２２にて圧縮機１の回転数及び室外ファン７の回転数を制御するように指令を出す。ｓｔ４では、ユニット停止条件を満たした場合には、ユニットを停止し、ユニット停止条件を満たさない場合には、ｓｔ５に移る。ｓｔ５では、現在の高圧圧力Ｐ１１を検知する。ｓｔ６では、前回の高圧圧力Ｐ１０との差ΔＰを計算する。ｓｔ７では、予め設定しておいた圧力の変動幅ＤＰと上記ΔＰとの大小比較を行う。ΔＰ＞ＤＰの場合には、非定常状態と判断してｓｔ８へ移り、制御タイミングの時間をｔ１とする。ΔＰ＜ＤＰの場合には定常状態と判断してｓｔ９へ移り、制御タイミングの時間をｔ２とする。ｓｔ１０では、Ｐ１０＝Ｐ１１として、今回検知した高圧圧力を記憶する。ｓｔ１１では、積算時間ｔｓｕｍと予め設定しておいた組成演算タイミングｔｏとの比較を行う。ｔｓｕｍ＜ｔｏの場合には、組成演算は行わず、メイン制御のみを行い、ｔｓｕｍ≧ｔｏの場合には、ｔｓｕｍ＝０にリセットして、組成演算を行う。
【００４３】
上記の作用により、ユニットの起動時、運転台数の変化及びモード変化後などの非定常状態において、循環組成の検知タイミングを短くし、非定常状態における循環組成の変化に制御を追従させ、制御の信頼性を高めることができる。
上記の説明では、定常状態と非定常状態との区分けを圧力で検出しているが、圧力でなくとも温度など間接的な検知で区分けしても良い。すなわち組成の激しい変化が起こりやすいかどうかを判断して検出可能な方法を採用する。
例えば負荷変動など運転が変化しやすい場合、圧力が変動して、冷媒の動きが不安定になり、組成が変わりやすい。このような場合組成の時間変化が大きくなるので組成検知タイミングを短くして機器を制御することにより安定した組成を得ることが可能になり、冷凍サイクルを使用した装置の能力を常に最適に保てるようになる。組成を検知して機器を制御するタイミングは、定常時は数分レベルであり、非定常時は数十秒〜１分程度に短縮する。また非定常時でも起動時のように全能力の発揮を必要としない場合には、組成検知を数分〜十数分にすることによって無駄な動作を避けることができ、装置の寿命を延ばしたり、装置が変な動きを起こすことがなくなる。
【００４４】
発明の実施の形態３．
以下、本発明の実施の形態３を図８について説明する。
本実施の形態において、トータル制御器２４、メイン制御器２２、組成演算器２１及び絞り制御器２３の構成及び作用については、実施の形態１と同等であるため、説明を省略する。
図８は、本発明の実施の形態３を示す冷媒回路図である。なお、図中、実施の形態１と同一部分については、同一の符号を付し、説明を省略する。本実施の形態においては、実施の形態１を示す図１の冷媒回路において、断熱材１０を第二の絞り装置８及び該組成検知用熱交換器９と第二の絞り装置８の間の冷媒配管を被覆する構成とする。
【００４５】
断熱材１０の作用により、第二の絞り装置８及びその前後の配管において、外気との熱の授受が無くなり、第二の絞り装置８前後において、冷媒は確実に等エンタルピ変化をする。従って、組成演算において、高圧液エンタルピＨ１及び低圧二相エンタルピＨ２を、正確に計算することができ、組成演算精度を向上させることができる。
【００４６】
図２２に断熱材としてグラスウール１１で巻いた例と、ソフトテープ１２（発泡材）で巻いた例を示す。この場合温度検出器であるサーミスタなどのセンサ１０３，１０４が配管にホルダを介して取りつけてあるが、これも一緒に巻くことにより確実な温度が検出できる。またバイパス管から冷媒を引き出している圧力検出手段１０２との外気との熱の授受を防止するために断熱材のなかに埋め込んでいる。
なお、上記の説明では組成検知用熱交換器には断熱材で覆うことはしていない。これは高圧側は周囲に放熱することが冷媒の凝縮を助けることになるので熱交換部は断熱しない例で説明しているのであって、断熱が有効な構成であればこの熱交換部を断熱してもよいことは当然である。
【００４７】
発明の実施の形態４．
以下、本発明の実施の形態４を図９，１０，１１について説明する。
本実施の形態において、トータル制御器２４、メイン制御器２２及び絞り制御器２３の構成及び作用については、実施の形態１と同様である。
図９は、本発明の実施の形態４を示す冷凍．空調システムであり、図１０は制御部のみを詳細に示したものである。なお、図中、実施の形態１と同一部分については、同一の符号を付し、説明を省略する。本実施の形態においては、実施の形態１を示す図１の冷媒回路において、室外空気温度を検出する第五の温度検出手段１０７を付加する。
【００４８】
組成検知装置を室外機中に含めて設けた場合、室外空気温度の影響を受けて変化する可能性があるため、この補正手段を設けたものである。すなわち組成検知装置が置かれた周囲の温度がわかるものであれば、それを第五の温度検知手段１０７として用いれば良い。
【００４９】
組成演算器２１の作用について説明する。図１１は、組成演算器２１の演算の流れを示すフローチャートである。組成演算ではｓｔ１では混合冷媒の各成分について、その組成ｘｉ’を仮定する。ｓｔ２では、第一の温度検出手段１０３、第二の温度検出手段１０４、第五の温度検出手段１０７及び第一の圧力検出手段１０２から各々の検出値Ｔ１，Ｔ２，Ｔａ及びＰ２を検出する。ｓｔ３では、ｓｔ１にて仮定した循環組成ｘｉ’と上記温度の検出値Ｔ１から、高圧の液エンタルピＨ１を演算する。ｓｔ４では、循環組成ｘｉ’と上記温度・圧力の検出値Ｔ２及びＰ２から、低圧の二相エンタルピＨ２を演算する。ｓｔ５では、上記Ｈ１とＨ２の比較を行い、等しくなるまで循環組成の仮定を繰り返す。この結果、上記Ｈ１とＨ２が等しくなった時点でのｘｉ’の値を循環組成とする。ｓｔ６では、第五の温度検出手段の検出値Ｔａより循環組成の補正値Ｆｉを求める。ｓｔ７では、真の組成ｘｉをｘｉ＝Ｆｉ×ｘｉ’として演算する。
ここで、第二の絞り装置８付近では、外気温度によって冷媒が吸放熱するため、第二の絞り装置８前後での冷媒の等エンタルピ変化が仮定できない。このため、補正値Ｆｉを、図１２に示すように予め試験的に求めておく。
また、添字ｉは、ｉ種の成分が混合された混合冷媒であることを示している。
【００５０】
上記作用により、外気温度が変化し、第二の絞り装置８における吸放熱があり、冷媒が等エンタルピ変化しない場合においても、循環組成を精度よく求めることができる。
すなわち絞り部での熱交換量を外気温度をもとに判断し補正をするものであるが、この補正はセンシング時や組成演算時やアクチュエータ操作時においてなど、各段階どこで補正しても良い。
このように組成を検知して制御する装置において、精度を追求する場合には各部の配管ロスの補正を行ってもよい。例えば絞り制御を行う際室内温度の検知を同様に補正してもよい。
【００５１】
上記の説明は、温度変化の大きい場所に設置した場合、例えば低温条件−１５度Ｃとか、過負荷条件４３度Ｃの様な場合には、実施の形態３のごとく組成検知回路を断熱材で覆い、周囲温度の変化から守ったり、あるいは実施の形態４のごとく周囲温度の変化を検出して検知データを補正する案を示した。
しかし組成検知回路の設置箇所を風の影響を受けにくい場所や雨水や熱交換器のドレン水の影響がない場所に配置しても相当の効果がある。例えば設置位置としてファンの風路や圧縮機などの放熱体のそばを避けたり、熱交換器の直下を避けて遠く配置すると良い。例えば熱交換器の下のドレンパンの中や下、あるいは電気品箱に入れるだけでも検知の誤差をある程度抑えることができる。
この例を図２３に示す。図２３は、室外機本体１４の一部を切り欠いて中を示す説明図であり、１５は、バイパス回路、１６は送風機を内蔵した送風口、３はＶ字形に設けられ両側面から矢印のように風を吸引し、上部の送風口から送風する際、熱交換を行う熱交換器、１７は機械室カバーであり、内部に圧縮機１、アキュムレータ１８、電気品箱１９を収納し、外部からの雨水や、熱交換器のドレン水の侵入を密閉して防止している。
さらに、基板等よりなる組成演算器は電気品箱に収納され保護されている。
【００５２】
発明の実施の形態５．
以下、本発明の実施の形態５を図について説明する。
本実施の形態において、トータル制御器２４、メイン制御器２２及び組成演算器２１の構成及び作用については、実施の形態１と同様であるため、説明を省略する。
図１３は、本発明の実施の形態５を示す冷凍・空調システムである。なお、図中、実施の形態１と同一部分については、同一の符号を付し、説明を省略する。本実施の形態においては、実施の形態１を示す図１の冷媒回路において、室内空気温度を検出する第６の温度検出手段１０８を付加する。
【００５３】
絞り制御器２３の作用について説明する。図１４は、絞り制御器２３の制御のフローチャートを示す。ｓｔ１として、冷房運転か暖房運転かの判断をする。冷房運転の場合には、ｓｔ２として、第六の温度検出手段１０８が検出する値Ｔａｉｎと設定温度Ｔｓｅｔの大小関係を比較する。Ｔａｉｎ＜Ｔｓｅｔの場合には、ｓｔ３として、第一の絞り装置４の開度Ｓは０とする。Ｔａｉｎ＞Ｔｓｅｔの場合には、ｓｔ４として、第三の温度検出手段１０５及び第四の温度検出手段１０６から、各々の温度Ｔ３及びＴ４を検出する。ｓｔ５では、Ｔ４とＴ３の差ＳＨを計算する。ｓｔ６では、予め設定しておいた目標値ＳＨｍと上記ＳＨの差ΔＳＨを計算する。ｓｔ７では、上記ΔＳＨの大きさに応じて、第一の絞り装置４の開度の変更幅ΔＳを演算し、第一の絞り装置４の開度変更を実行する。ｓｔ８では、停止条件を満たす場合には、室内機を停止の状態にし、停止条件を満たさない場合には、上記のｓｔ１に戻る。
【００５４】
暖房運転の場合には、ｓｔ９として、第六の温度検出手段１０８が検出する値Ｔａｉｎと設定温度Ｔｓｅｔの大小関係を比較する。Ｔａｉｎ＞Ｔｓｅｔの場合には、ｓｔ１０として、絞り装置の開度Ｓは予め設定しておいて開度Ｓｏとする。Ｔａｉｎ＜Ｔｓｅｔの場合には、ｓｔ１１として第三の温度検出手段１０５から温度Ｔ３を検出し、かつ、メイン制御器２２から凝縮温度Ｔｃを受信する。ｓｔ１２では、上記Ｔｃと上記Ｔ３の差ＳＣを計算する。ｓｔ１３では、予め設定しておいた目標値ＳＣｍと上記ＳＣの差ΔＳＣを計算する。ｓｔ１４では、上記ΔＳＣの大きさに応じて、絞り装置の開度の変更幅ΔＳを演算し、第一の絞り装置４の開度変更を実行する。ｓｔ１５では、停止条件を満たす場合には、室内機を停止の状態にし、停止条件を満たさない場合には、上記のｓｔ１に戻る。
【００５５】
図１５は、低圧レシーバ（アキュムレータ）６内部の液面高さと、循環組成における低沸点成分割合との関係を示している。図１５より、低圧レシーバ６内部の液面高さが高くなれば、循環組成における低沸点成分の割合が増大することがわかる。従って、上記の如く、暖房時、停止している室内側熱交換器５の第一の絞り装置４を適度に開けることによって、室内側熱交換器５への冷媒の溜まり込みを防止し、低圧レシーバ６内部の冷媒の液面高さを一定に保つことによって、循環組成の変動を抑え、冷凍サイクルの制御性を良好にすることができる。さらにレシーバ壁面に温度センサを上下に複数取り付け熱伝達の違いによって液面の高さがある範囲以内であることを監視し、この範囲を超えると停止している室内機の絞り装置の開度を制御することにより、冷媒の循環組成の大幅な変動を抑えることができる。
【００５６】
発明の実施の形態６．
以下、本発明の実施の形態６を図について説明する。
本実施の形態において、トータル制御器２４、メイン制御器２２及び組成演算器２１の構成及び作用については、実施の形態１と同様であるため、説明を省略する。
また、冷媒回路は、実施の形態５と同様であるため、説明を省略する。
【００５７】
絞り制御器２３の作用について説明する。図１６は、絞り制御器２３の制御のフローチャートを示す。ｓｔ１として、冷房運転か暖房運転かの判断をする。冷房運転の場合には、ｓｔ２として、第六の温度検出手段１０８が検出する値Ｔａｉｎと設定温度Ｔｓｅｔの大小関係を比較する。Ｔａｉｎ＜Ｔｓｔの場合には、ｓｔ３として、第一の絞り装置４の開度Ｓは０とする。Ｔａｉｎ＞Ｔｓｅｔの場合には、ｓｔ４として、第三の温度検出手段１０５及び第四の温度検出手段１０６から、各々の温度Ｔ３及びＴ４を検出する。ｓｔ５として、Ｔ４とＴ３の差ＳＨを計算する。ｓｔ６では、予め設定しておいた目標値ＳＨｍと上記ＳＨの差ΔＳＨを計算する。ｓｔ７では、上記ΔＳＨの大きさに応じて、第一の絞り装置４の開度の変更幅ΔＳを演算し、第一の絞り装置４の開度変更を実行する。ｓｔ８では、停止条件を満たす場合には、室内機を停止の状態にし、停止条件を満たさない場合には、上記のｓｔ１に戻る。
【００５８】
暖房運転の場合には、ｓｔ９として、第六の温度検出手段１０８が検出する値Ｔａｉｎと設定温度Ｔｓｅｔの大小関係を比較する。Ｔａｉｎ＞Ｔｓｅｔの場合にはｓｔ１０として、第一の絞り装置４の開度Ｓは０とする。Ｔａｉｎ＜Ｔｓｅｔの場合には、ｓｔ１１として、第三の温度検出手段１０５から温度Ｔ３を検出し、かつ、メイン制御器２２から凝縮温度Ｔｃを受信する。ｓｔ１２では、上記Ｔｃと上記Ｔ３の差ＳＣを計算する。ｓｔ１３では、予め設定しておいた目標値ＳＣｍと上記ＳＣの差ΔＳＣを計算する。ｓｔ１４では、上記ΔＳＣの大きさに応じて、第一の絞り装置４の開度の変更幅ΔＳを演算し、第一の絞り装置４の開度変更を実行する。ｓｔ１５では、停止条件を満たす場合には、室内機を停止の状態にし、停止条件を満たさない場合には、上記ｓｔ１に戻る。
【００５９】
上記の作用により、運転している室内機を循環するべき冷媒が、停止室内機内を通って、バイパスすることがない。従って、メインの冷媒回路内を循環する冷媒は全て運転している室内機にて熱交換を行うため、能力のロスを防ぐことができる。なお、このように停止している室内機からの冷媒の回収は、各種運転状態において可能であるが、冷房時には元々余剰冷媒が少ないため、組成をコントロールする効果としては暖房時が最も存在する。
【００６０】
発明の実施の形態７．
以下、本発明の実施の形態７を図について説明する。
本実施の形態において、冷媒回路、メイン制御器２２、組成演算器２１及び絞り制御器２３の構成及び作用については、実施の形態６と同様であるため、説明を省略する。
【００６１】
図１７は本実施の形態のトータル制御器２４の作用を示すフローチャートである。ｓｔ１では、タイマを起動し、積算時間ｔｓｕｍ１＝０及びｔｓｕｍ２＝０とする。ｓｔ２では、循環組成を演算するように、組成演算器２１に指令を出す。組成演算器２１にて組成が演算されると、ｓｔ３に移り、メイン制御器２２にて圧縮機１の回転数及び室外ファン７の回転数を制御するように指令を出す。ｓｔ４では、ユニットの停止条件を満たした場合には、ユニットを停止し、ユニット停止条件を満たさない場合には、ｓｔ５に移る。ｓｔ５では、積算時間ｔｓｕｍ２と予め設定しておいた組成演算タイミングｔｏ２との比較を行う。ｔｓｕｍ２＜ｔｏ２の場合には、ｓｔ８に移る。ｔｓｕｍ２≧ｔｏ２の場合には、ｓｔ６に移り、ｉ番目の停止室内機に溜まった液冷媒を、対応する第一の絞り装置４を開けることによって、低圧レシーバ６に回収する。ｓｔ７では、ｉ＝ｉ＋１として次回冷媒回収を行う停止室内機の番号を設定し、ｔｓｕｍ２＝０にリセットして、ｓｔ８に移る。ここで、ｉの数が停止室内機の台数を越える場合には、ｉ＝１とする。ｓｔ８では、積算時間ｔｓｕｍ１と予め設定しておいた組成演算タイミングｔｏ１との比較を行う。ｔｓｕｍ＜ｔｏの場合には、組成演算は行わず、ｓｔ３に戻り、ｔｓｕｍ≧ｔｏの場合には、ｔｓｕｍ＝０にリセットして、ｓｔ２に戻る。
【００６２】
図１８は上記動作を行った場合の低圧レシーバ６内の液面変動と、循環組成の変動を示すものである。停止室内機の全てから一度に冷媒の回収を行う場合よりも、上記動作によって、各停止室内機から異なるタイミングで冷媒を回収したほうが、低圧レシーバ６内の液面変動の幅が小さくなる。図１５に示す通り、低圧レシーバ６内部の液面高さが高くなれば、循環組成における低沸点成分の割合が大きくなるため、低圧レシーバ６内の液面変動の幅が小さくすれば、循環組成の変動幅も小さくすることができる。従って、冷凍サイクルの特性の変動を抑え、制御性及び効率のよい組成にて常に運転することができる。
以上は、室内機を複数（マルチ）設けた場合、運転中に、停止室内機の熱交換器等へ冷媒が溜まっていくのでこの寝込んだ冷媒によって組成の変化幅が大きくなる。このようなマルチシステムが大きくなればなるほど、停止機からの回収が問題となり、この回収を運転しているシステムの特性変動を抑えながら行うことが重要になる。
【００６３】
発明の実施の形態８．
以下、本発明の実施の形態８を図について説明する。
本実施の形態において、トータル制御器２４、メイン制御器２２、組成演算器２１及び絞り制御器２３の構成及び作用については、実施の形態１と同様であるため、説明を省略する。
図１９は、本発明の実施の形態８を示す冷凍・空調システムであり、図２０はその制御部のみを詳細に示すものである。なお、図中、実施の形態１と同一部分については、同一の符号を付し、説明を省略する。本実施の形態においては、実施の形態１を示す図１の冷媒回路において、組成演算器２１にて演算された循環組成が予め設定した循環組成の範囲に入らない場合に、ユニットを停止させる安全装置２５と、このとき冷媒組成を表示する表示装置２６を付加する。
【００６４】
従って、冷媒の誤充填や冷媒リーク等により、冷凍サイクル内に充填されている冷媒の組成が異常となったときには、ユニットを停止させることができ、また、組成の状態を表示することによってサービス性を良くすることができる。
【００６５】
発明の実施の形態９．
以下、本発明の実施の形態９を図について説明する。
本実施の形態において、トータル制御器２４、メイン制御器２２、及び絞り制御器２３の構成及び作用については、実施の形態１と同様であるため、説明を省略する。
図２４は、本発明の実施の形態９を示す冷凍・空調システムである。図中、実施の形態１と同一部分については、同一の符号を付し、説明を省略する。図２４において、６１は油分離器であり、６２は油戻しバイパスであり、６３は第三の絞り装置である。油分離器６１は圧縮機１と四方弁２の間に設置されており、油もどしバイパス６２は、一方は油分離器６１に接続され、他方は四方弁２とアキュムレータ６の間に接続されている。油分離器６１では冷媒と油を分離する。油分離器６１で分離された油は第三の絞り装置６３で減圧され、油もどしバイパス６２を通って、アキュムレータ６に戻る。
【００６６】
なお圧縮機１の吐出管に設けられる油分離器６１は圧縮機から吐出されたガス冷媒と冷凍機油を容器内に設けたフィルターで分離し、冷凍機油を直接圧縮機に返すことによって冷凍機油がメイン回路を流れて、圧縮機の油量が減少することを防ぐ。
このような油分離器は延長配管が長い場合や、蒸発温度が低かったり、圧縮機の油持出量が多い機種に使用されることが多い。
この油分離器６１は、容器の上部から冷媒と一緒に油を１００メッシュ程度のフィルターを介して容器内に吹き出し油を分離する。この容器の下部から油を圧縮機にもどし、上部からメイン回路にガスをもどす。
【００６７】
組成検知用熱交換器の高圧側入口を油分離器６１と四方弁２の間に接続している。これは油分離器６１と四方弁２の間では冷媒の過熱度が小さくなり、第二の絞り装置８入口の冷媒の過冷却度が大きくなるため、組成検知用熱交換器９を小さくすることが可能になるからである。またバイパス回路１５を流れる油の量が少なくなり、圧力の脈動が起こりにくくなるためである。
【００６８】
１０２は第二の圧力検出手段であり、組成検知用熱交換器９の低圧側とメイン配管の接続部のメイン配管に設置されている。これは、運転状態によって第二の絞り装置の出口で圧力が脈動する場合があり、そのような時は、循環組成の検知誤差が大きくなるため、常に脈動が起こらない、メイン配管に第二の圧力検出手段１０２を設置している。１０８はアキュムレータの液面検知器である。５８は圧力差演算器であり、５９は組成調整運転用制御器であり、６０は組成補正値演算器である。
【００６９】
圧力差演算器５８の動作について説明する。図２５は圧力差演算器５８の制御内容を示すフローチャートである。ｓｔ１では第一の圧力検出手段１０１、第二の圧力検出手段１０２から各々の検出値Ｐ１，Ｐ２を検出する。ｓｔ２ではＰ１，Ｐ２の圧力差ΔＰ１２を演算する。ｓｔ３ではＰ２、ΔＰ１２から、第二の圧力検出手段１０２での圧力と第三の絞り装置下流での圧力との圧力差ΔＰを計算する。
【００７０】
組成調整運転用制御器５９の動作について説明する。組成調整運転用制御器５９は、試運転時などに動作する。図２６は組成調整運転用制御器５９の制御内容を示すフローチャートである。ｓｔ１ではトータル制御器に冷房運転で、全ての室内機を運転させる信号を送る。ｓｔ２では第一の絞り装置の開度Ｓを適当な値に固定する。ｓｔ３ではアキュムレータの液面検知器１０７の信号を検出する。ｓｔ４では、アキュムレータに余剰冷媒がある場合、第一の膨張弁４の開度を小さくする。アキュムレータに余剰冷媒がなくなるまで第一の膨張弁４の開度を小さくし、冷房運転で、停止室内機がなく、アキュムレータに余剰冷媒が発生しない運転状態を作る。冷房運転で、停止室内機がなく、アキュムレータに余剰冷媒が発生しない運転状態では循環組成は充填組成と一致する。なお、ここでは組成調整運転として冷房運転で、停止室内機がなく、アキュムレータに余剰冷媒が発生しない場合を示したが、運転状態とそのときの循環組成が判っている運転状態であればどのような運転でも良いことは、当然である。
【００７１】
組成補正値演算器６０の動作について説明する。図２７は組成補正値演算器６０の演算の流れを示すフローチャートである。ｓｔ１では循環組成演算値ｘｉを組成演算器２１から検出する。ｓｔ２では組成調整運転を行っていることを確認し、あらかじめ入力されている組成調整運転状態での循環組成ｙｉを検出する。ｓｔ３では上記循環組成ｙｉと上記循環組成演算値ｘｉの差である組成補正値Δｘｉを求める。
【００７２】
組成演算器２１の動作について説明する。図２８は、組成演算の流れを示すフローチャートである。組成演算では、ｓｔ１で混合冷媒の各成分について、その組成ｘｉ’を仮定する。ｓｔ２では、第一の温度検出手段１０３、第二の温度検出手段１０４および第二の圧力検出手段１０２から各々の検出値Ｔ１，Ｔ２，Ｐ２を検出する。ｓｔ３では、Ｐ２と圧力差演算器５８で計算した圧力差Δｐから第三の絞り装置の圧力Ｐ２’を演算する。ｓｔ４では、第一ステップで仮定した循環組成ｘｉ’と上記温度検出値Ｔ１から、高圧の液エンタルピＨ１を演算する。ｓｔ５では、循環組成ｘｉ’と上記温度検出値Ｔ１と第三の絞り装置の圧力Ｐ２’から、低圧二相エンタルピＨ２を演算する。ｓｔ６では、上記Ｈ１とＨ２の比較を行い、等しくなるまで循環組成の仮定を繰り返す。この結果、上記Ｈ１とＨ２が等しくなった時点でのｘｉ’の値を循環組成とする。ｓｔ７では、真の組成ｘｉを循環組成ｘｉ’と組成補正値Δｘｉの和とする。
ここで、添字ｉはｉ種の成分が混合された混合冷媒であることを示している。
【００７３】
以上のように本発明によれば、圧縮機、四方弁、室外側熱交換器、絞り装置、複数の室内側熱交換器および低圧レシーバを接続してなる冷凍サイクルにおいて、循環組成を演算する組成演算器、圧縮機の回転数および室外ファンの回転数を決定するメイン制御器、絞り装置の開度を決定する絞り制御器、組成演算、メイン制御および絞り制御のタイミングを計るトータル制御器を設けたので、マルチ式冷凍・空調システムにおいて、循環組成を検知し、この循環組成と高圧及び低圧の検出値から各々凝縮温度及び蒸発温度を演算し、凝縮温度及び蒸発温度が一定となるように、圧縮機の回転数、室外ファンの回転数及び絞り装置の開度を制御することが可能で、運転条件によって循環組成が変化した場合でも、効率の良い運転を実現できる。
【００７４】
さらに、上記の冷凍サイクルにおいて、トータル制御器にて、冷凍サイクル中から検出される物理量の時間変化が大きいときと判断したときに、循環組成の演算タイミングを短くすることにより、非定常時の組成の変化に追従して組成を検知し、常に正しい循環組成にて制御を行うことができ、制御性を良くする。
また、定常時には、循環組成の演算の時間間隔を長く取ることによって、定常制御の際の演算負荷を軽減する効果も得られる。
【００７５】
また、上記の冷凍サイクルにおいて、第二の絞り装置およびその前後の冷媒配管を断熱し、絞り部での外部との熱の授受を無くすことによって、絞り部において冷媒が確実に等エンタルピ変化する。循環組成演算の際には、絞り部での冷媒の等エンタルピ変化を利用するため、等エンタルピ変化が確実に行われれば、循環組成の検知精度を高めることができる。
【００７６】
また、上記の冷凍サイクルにおいて、組成演算器にて、第二の絞り装置およびその前後の冷媒配管における外部との熱交換量を外気温度から判断し、演算される組成に対して補正を行うことによって、外気温度が変動しても循環組成を精度よく求めることができ、組成検知精度を安価に改善することができる。
【００７７】
また、上記の冷凍サイクルにおいて、停止室内機の絞り装置を適当な開度に開け、室内機への冷媒の溜まり込みを防ぎ、低圧レシーバの液面レベルを一定に保つことによって、循環組成の変動を抑え、常に安定した組成により冷凍サイクルを制御できるため、制御性が良く、また、効率の良い循環組成にて運転を行うことも可能である。
【００７８】
また、上記の冷凍サイクルにおいて、停止室内機の絞り装置を全閉とすることによって、運転している室内機を循環するべき冷媒が、停止室内機を循環することがなく、メイン回路を流れる冷媒は全て、運転している室内機にて熱交換するので、能力のロスを防ぎ、効率の良い運転を行うことができる。
【００７９】
また、上記の冷凍サイクルにおいて、複数の停止室内機に滞留する液冷媒を、メイン回路へ戻す時は、各停止室内機において、異なるタイミングにて冷媒を回収することによって、低圧レシーバ内部の急激な液面変動を抑え、その結果生ずる組成の急激な変動も無くし、冷凍・空調システム自体の信頼性を高め、かつ、効率の良い循環組成にて運転を行うことも可能である。
【００８０】
また、上記の冷凍サイクルにおいて、検知した組成が予め設定した組成の範囲を越える時には、ユニットを停止させ、かつ、その時の循環組成を表示することによって、装置の安全性を高め、サービス性を良くする。
【００８１】
【発明の効果】
以上のように本発明の請求項１によれば、循環組成を検知し、この循環組成と高圧及び低圧の検出値から各々凝縮温度及び蒸発温度を演算し、凝縮温度及び蒸発温度が一定となるように、圧縮機の回転数、室外ファンの回転数及び絞り装置の開度などを制御することが可能で、運転条件によって循環組成が変化した場合でも、効率の良い運転を実現できる。
【００８２】
本発明の請求項２によれば、検出される物理量の時間変化が大きいときと判断したときに、循環組成の演算タイミングを短くするなどにより、非定常時の組成の変化に追従して組成を検知し、常に望みの循環組成にて制御を行うことができ、制御性が良くなるとともに、演算負荷を軽減する効果も得られる。
【００８３】
本発明の請求項３によれば、常に循環組成を基にした制御を行うことができ、システム効率を良好に維持できる。
【００８４】
本発明の請求項４によれば、室内機の一部を停止させても冷媒を確実に分配でき信頼性が高く効果的なシステムを構成することができる。
【００８５】
本発明の請求項５によれば、第二の絞り装置およびその前後の冷媒配管を断熱し、絞り部での外部との熱の授受を無くすことによって、絞り部において冷媒が確実に等エンタルピ変化するため循環組成の検知精度を高めることができる。
【００８６】
本発明の請求項６によれば、外部との熱交換量を外気温度から判断し、演算される組成に対して補正を行うことによって、外気温度が変動しても循環組成を精度よく求めることができ、組成検知精度を安価に改善することができる。
【００８７】
本発明の請求項７によれば、停止室内機の絞り装置を適当な開度に開け、室内機への冷媒の溜まり込みを防ぎ、循環組成の変動を抑え、常に安定した組成により冷凍サイクルを制御できるため、制御性が良く、また、効率の良い循環組成にて演算を行うことも可能である。
【００８８】
本発明の請求項８によれば、停止室内機の絞り装置を全閉とすることによって、運転している室内機を循環するべき冷媒が、停止室内機を循環することがなく、メイン回路を流れる冷媒は全て、運転している室内機にて熱交換するので、効率の良い運転を行うことができる。
【００８９】
本発明の請求項９によれば、液溜の液面高さに基づき停止している室内機の絞り装置の開度を制御するので、循環組成の変動を抑え、常に安定した組成により冷凍サイクルを制御できるため、制御性が良く、また、効率の良いシステムが得られる。
【００９０】
本発明の請求項１０によれば、複数の停止室内機に滞留する液冷媒を、メイン回路へ戻す時は、各停止室内機において、異なるタイミングにて冷媒を回収することによって、低圧レシーバ内部の急激な液面変動を抑え、その結果生ずる組成の急激な変動も無くし、冷凍・空調システム自体の信頼性を高め、かつ、効率の良い循環組成にて運転を行うことが可能である。
【００９１】
本発明の請求項１１によれば、検知した組成が予め設定した組成の範囲を越える時には、ユニットを停止させ、または、その時の循環組成を表示することによって装置の安全性を高め、サービス性を良くする。
【００９２】
本発明の請求項１２によれば、バイパス回路の圧力の脈動の影響を受けないので、常に安定して、精度良く循環組成を検知できる。
【００９３】
本発明の請求項１３によれば、バイパス回路の低圧二相冷媒の温度を精度良く検出できるので、循環組成の検知精度を高めることができる。
【００９４】
本発明の請求項１４によれば、第二の絞り装置の出口圧力と、低圧側圧力が一致するので、循環組成の検知精度を高めることができるとともに、効率の良い制御ができる。
【００９５】
本発明の請求項１５によれば、第二の絞り装置の出口圧力と、低圧側圧力が検出できるので、循環組成の検知精度を高めることができるとともに、効率の良い制御ができる。
【００９６】
本発明の請求項１６によれば、循環組成演算値を適切な値に補正することができるので循環組成の検知精度を高めることができる。
【図面の簡単な説明】
【図１】  本発明の実施の形態１による冷凍・空調システムの冷媒回路図。
【図２】  本発明の実施の形態１による制御動作を示すブロック線図。
【図３】  本発明の実施の形態１によるトータル制御器の制御の流れを示すフローチャート。
【図４】  本発明の実施の形態１による組成演算の流れを示すフローチャート。
【図５】  本発明の実施の形態１によるメイン制御器の制御の流れを示すフローチャート。
【図６】  本発明の実施の形態１による絞り制御器の制御の流れを示すフローチャート。
【図７】  本発明の実施の形態２によるトータル制御器の制御の流れを示すフローチャート。
【図８】  本発明の実施の形態３による冷凍・空調システムの冷媒回路図。
【図９】  本発明の実施の形態４による冷凍・空調システムの冷媒回路図。
【図１０】  本発明の実施の形態４による制御動作を示すブロック線図。
【図１１】  本発明の実施の形態４による組成演算の流れを示すフローチャート。
【図１２】  本発明の外気温度と組成補正値の関係を示す組成補正図。
【図１３】  本発明の実施の形態５による冷凍・空調システムの冷媒回路図。
【図１４】  本発明の実施の形態５による絞り制御器の制御の流れを示すフローチャート。
【図１５】  本発明の低圧レシーバ内の液面高さと循環組成における低沸点成分の割合との関係を示す関係図。
【図１６】  本発明の実施の形態６による絞り制御器の制御の流れを示すフローチャート。
【図１７】  本発明の実施の形態７によるトータル制御器の制御の流れを示すフローチャート。
【図１８】  本発明の低圧レシーバ内液面と循環組成の時間変化を示す関係図。
【図１９】  本発明の実施の形態８による冷凍・空調システムの冷媒回路図。
【図２０】  本発明の実施の形態４による制御動作を示すブロック線図。
【図２１】  本発明の組成検知用熱交換器の構造を示す説明図。
【図２２】  本発明の第二の絞り装置及び配管に断熱材を被覆した構成説明図。
【図２３】  本発明の室外機の一部切り欠き説明図。
【図２４】  本発明の実施の形態９による冷凍・空調システムの冷媒回路図。
【図２５】  本発明の実施の形態９による圧力差演算器の演算の流れを示すフローチャート。
【図２６】  本発明の実施の形態９による組成調整運転用制御器の制御の流れを示すフローチャート。
【図２７】  本発明の実施の形態９による組成補正値演算器の演算の流れを示すフローチャート。
【図２８】  本発明の実施の形態９による組成演算の流れを示すフローチャート。
【図２９】  従来の冷凍・空調システムの冷媒回路図。
【符号の説明】
１  圧縮機、２  四方弁、３  室外側熱交換器、４  第一の絞り装置、５  室内側熱交換器、６  アキュムレータ（低圧レシーバ）、７  室外ファン、８  第二の絞り装置、９  組成検知用熱交換器、１０  断熱材、２１  組成演算器、２２  メイン制御器、２３  絞り制御器、２４  トータル制御器、２５  安全装置、２６  表示装置、２９  精留塔、３０  冷却源、３１  塔頂貯留器、３２  過熱源、３３  塔底貯留器、３４  開閉弁、３６  開閉弁、３７  絞り装置、３８  開閉弁、３９  開閉弁、５１，５２，５３，５４，５５，５６及び５７  冷媒配管、５８  圧力差演算器、５９  組成調整運転用制御器、６０  組成補正値演算器、６１  油分離器、６２  油戻しバイパス、６３  第三の絞り装置、１０１  第二の圧力検出手段、１０２  第一の圧力検出手段、１０３  第一の温度検出手段、１０４  第二の温度検出手段、１０５  第三の温度検出手段、１０６  第四の温度検出手段、１０７  第五の温度検出手段、１０８  第六の温度検出手段。
【図１】
0003655681.tif 000002
【図２】
0003655681.tif 000003
【図３】
0003655681.tif 000004
【図４】
0003655681.tif 000005
【図５】
0003655681.tif 000006
【図６】
0003655681.tif 000007
【図７】
0003655681.tif 000008
【図８】
0003655681.tif 000009
【図９】
0003655681.tif 000010
【図１０】
0003655681.tif 000011
【図１１】
0003655681.tif 000012
【図１２】
0003655681.tif 000013
【図１３】
0003655681.tif 000014
【図１４】
0003655681.tif 000015
【図１５】
0003655681.tif 000016
【図１６】
0003655681.tif 000017
【図１７】
0003655681.tif 000018
【図１８】
0003655681.tif 000019
【図１９】
0003655681.tif 000020
【図２０】
0003655681.tif 000021
【図２１】
0003655681.tif 000022
【図２２】
0003655681.tif 000023
【図２３】
0003655681.tif 000024
【図２４】
0003655681.tif 000025
【図２５】
0003655681.tif 000026
【図２６】
0003655681.tif 000027
【図２７】
0003655681.tif 000028
【図２８】
0003655681.tif 000029
【図２９】
0003655681.tif 000030